(57)【要約】      （修正有）【課題】カードが正規でない向きに挿入されたり、規定寸法より狭い幅のカードが挿入されたとき、コネクタ内へのカードの進入を阻止するカード誤挿入防止機構。【解決手段】カード誤挿入防止手段は、上記カード挿入口２から挿入されたカードを保持する保持手段１９を備えるイジェクトプレート５と、上記シェル部材４とイジェクトプレート５との間に設けられ、上記カード挿入口２に挿入されるカードの向きによって、該イジェクトプレート５をシェル部材４に対して拘束するロック手段と、上記イジェクトプレート５に設けられ、カードの厚さ方向に弾性変形可能であり、上記カード挿入口２から挿入されたカードの進入を阻止するガードブレード１６ａと、該カードにより押圧される感知突起１５ａとを備えるアーム１０とから成り、カードが正規挿入されたとき、上記イジェクトプレート５の拘束を解除してカードの進入を許可するカードコネクタ。【選択図】図４
2007173000.tif 000002
【特許請求の範囲】
【請求項１】
カード挿入空間、及びカードのソケットと結合する端子を有するハウジングと、該ハウジングに固定されたシェル部材と、カード挿入口に誤挿入されたカードの進入を阻止するカード誤挿入防止手段を備えて成るカードコネクタにおいて、
上記カード誤挿入防止手段は、上記シェル部材に対してカードの挿入又は排出方向へ移動可能に支持され、上記カード挿入口から挿入されたカードを保持する保持手段を備えるイジェクトプレートと、
上記シェル部材とイジェクトプレートとの間に設けられ、上記カード挿入口に挿入されるカードの向きによって、該イジェクトプレートをシェル部材に対して拘束するロック手段と、
上記イジェクトプレートに設けられ、カードの厚さ方向に弾性変形可能であり、上記カード挿入口から挿入されたカードの進入を阻止するガードブレードと、該カードにより押圧される感知突起とを備えるアームとから成り、
上記カード挿入口にカードが誤挿入されたとき、上記イジェクトプレートをシェル部材に拘束してカードの進入を阻止し、カードが正規挿入されたとき、上記イジェクトプレートの拘束を解除してカードの進入を許可することを特徴とするカードコネクタ。
【請求項２】
上記ロック手段は、上記シェル部材においてカードの厚さ方向に弾性変形可能に形成され、突部と係止片を備える舌状突片と、
上記イジェクトプレートに形成され、上記舌状突片の係止片に当接することにより該イジェクトプレートの移動を拘束する係合突部と、
上記イジェクトプレートに対して揺動可能で、且つ、カードの挿入方向に摺動可能に支持されており、カードの挿入方向への移動により上記舌状突片の突部に接触して、該舌状突片をカードの厚さ方向に弾性変形させる中央片を有するスイングプレートとから成り、
上記カード挿入口にカードが正規挿入された場合に限り、上記スイングプレートをカードの挿入方向へ移動させて、上記イジェクトプレートの拘束を解除することを特徴とする請求項１に記載のカードコネクタ。
【請求項３】
上記イジェクトプレートは、一対のばね片と、一対の孔と、カードの保持手段である一対のロック片とを備え、
上記スイングプレートは、上記イジェクトプレートの一対のばね片に係合する係合片と、上記イジェクトプレートの一対の孔に挿通される一対の脚部と、該一対の脚部の先端に形成され上記イジェクトプレートの一対のロック片と対峙する一対の当接片とを備えることを特徴とする請求項２に記載のカードコネクタ。
【請求項４】
上記シェル部材は、上記イジェクトプレートに形成されたガイド片をカードの挿入方向に案内するガイド溝を備えることを特徴とする請求項１〜請求項３のいずれかに記載のカードコネクタ。
【請求項５】
上記アームはイジェクトプレートと別体に形成され、連結手段により結合されることを特徴とする請求項１〜請求項４のいずれかに記載のカードコネクタ。
【発明の詳細な説明】
【技術分野】
【０００１】
本発明は、ＩＣカード、磁気カード等のメモリカード（以下、カードという）用のコネクタに関し、さらに詳述すれば、カードの誤挿入防止機構を備えるカードコネクタに関するものである。
【背景技術】
【０００２】
カードコネクタは、その内部に複数のピン状の端子（コンタクト群）を有し、カード挿入口より挿入されたカードをこれらの端子に電気的に結合させることによって、該カードに対して情報の書き込み又は読み出しを行うものである。
このようなカードは縦横の長さを異にしており、カード挿入口でのカード挿入方向を縦方向とした場合、カードの横長向きでの挿入が正規の向きとなっている。
しかしながら、カードは正規の向きとは異なる縦長向きでも、カード挿入口よりカードコネクタの内部へ挿入することが可能であり、このような縦長向きでのカードの挿入（誤挿入）では、カードのソケットとカードコネクタのピン状の端子とが正しい位置関係に成らず、カードの壁部がピン状の端子に当接して該端子を変形又は損傷させることがある。
このような端子の変形や損傷が発生すれば、カードが正規の横長向きで挿入（正規挿入）されたとき、カードのソケットとピン状の端子との正しい結合が阻害され、カードに対する情報の書き込み又は読み出しが不可能となる。このため、カード誤挿入防止機構はカードコネクタにおいて必要不可欠なものである。
【０００３】
このようなカード誤挿入防止機構を有するカードコネクタとしては、特開２００２−２１６９０５号公報（カードコネクタの誤挿入防止装置）、及び特開２００４−６２５００号公報（カードソケット）に記載されているものが既に提案されている。
上記特開２００２−２１６９０５号公報（特許文献１）に記載されたカードコネクタ５０は、図１７に示されているように、基板６０上に固定されたコネクタ本体５１を有し、このコネクタ本体５１には、横長向きのカード６３の両側端部を支持する左右の挿入溝５２,５２が形成されている。この左右の挿入溝５２,５２を結ぶ平面はカード６３の正規挿入平面を構成する。この挿入溝５２,５２の奥部に位置する奥部壁５３には、コンタクト群５４が支持されている。上記コネクタ本体５１の下面（基板６０側の面）は、挿入溝５２,５２の部分を除いて開放されており、その上面には切欠５５が形成されている。
上記コネクタ本体５１上には、基板６０上に固定された板ばね材料からなるカバー部材５６が被せられている。このカバー部材５６には、切欠５５からコネクタ本体５１内に入り込む誤挿入防止ばね５７と遊び取りばね５８が、切り起こし片として形成されている。この誤挿入防止ばね５７と遊び取りばね５８は、それぞれの先端部がコネクタ本体５１の挿入溝５２,５２によって規定されるカード挿入平面内に突出している。
【０００４】
上記特許文献１に記載されたカードコネクタ５０に対して、カード６３を正規の横長向きの状態（図１７(ａ)に鎖線で示した状態）でコネクタ本体５１の左右の挿入溝５２,５２にその両側端部を挿入すると、カード６３は正しくカード挿入平面内を移動するため、該カード挿入平面内に先端部が突出している誤挿入防止ばね５７と遊び取りばね５８は、該カード６３により押されて弾性変形する。即ち、正規の横長向きのカード６３は、正しく挿入溝５２,５２に挿入することができ、そのコンタクト挿入穴にコンタクト群５４が正しく挿入され、電気的な導通がなされる。
これに対して、カード６３を縦長向きの状態（図１７(ａ)に実線で示した状態）でコネクタ本体５１に挿入すると、この縦長向きのカード６３は挿入溝５２,５２のいずれか一方に係合させることはできても、両方に同時に係合することができない。このため、挿入溝５２,５２の間の誤挿入防止ばね５７が必ずカード６３の上面に当接して、正しいカード挿入平面からカード６３を変位させ（カード挿入平面内への進入を許さず）、カード６３がコンタクト群５４に到達するのを阻止することにより、コンタクト群５４の破損を防止することができる（図１７(ｂ)を参照）。
なお、図１７(ａ)における符号５９は、軸６１を中心に回動してカードを排出するシーソーレバーであり、符号６２は該シーソーレバー５９を回動させるイジェクトレバーである。
【０００５】
また、上記特開２００４−６２５００号公報（特許文献２）に記載されたカードソケット（カードコネクタ）は、図１８に示されているように、ハウジング本体８０とカバー８８とから成るハウジング９０を備え、該ハウジング本体８０は底面部８１と側面部８２，８３と背面部８４とを有する。該底面部８１は矩形の板状であり、誤挿入防止部材挿通孔８１ｂと複数のコンタクト挿通孔８５とを有する。該誤挿入防止部材挿通孔８１ｂは底面部８１の前部に形成され、一対のばね部挿通部８１ｃとストッパー部挿通部８１ｄとを有している。この一対のばね部挿通部８１ｃはそれぞれキー８２ａ,８３ａの分断された部分に形成され、側面部８２，８３の長さ方向へ延びている。ストッパー部挿通部８１ｄは側面部８２，８３の長さ方向に直交する方向へ延び、上記一対のばね部挿通部８１ｃに連結されている。
【０００６】
カード誤挿入防止部材７０は、一対の固定部７１と一対のばね部７２と１つの幅方向ストッパ部７３とを有している。この一対の固定部７１は上記側面部８２,８３のキー８２ａ,８３ａの前端部に固定され、一対のばね部７２はそれぞれ固定部７１に連結され、側面部８２，８３の長さ方向へ延び、ばね部挿通部８１ｃの上方に位置している。幅方向ストッパ部７３は側面部８２，８３の長さ方向と直交する方向へ延び、一対のばね部７２に連結されている。幅方向ストッパ部７３はばね部７２が弾性変形していないとき、ストッパ部挿通部８１ｄの上方に位置している。
【０００７】
上記特許文献２に記載されたカードソケットに対して、所定サイズの幅を有するカード６５をカード挿入口７５ａに挿入すると、一対のばね部７２がカード６５の両側部にある段差面６７によって下方へ押圧され、所定量弾性変形する。これにより、ばね部７２はカード軌道７５ｃから押し出されて切欠き６６内に入る。これに伴って、幅方向ストッパ部７３もカード軌道７５ｃから押し出されてストッパ部挿通部８１ｄ内に入る（図１８(ｂ)を参照）。このため、幅方向ストッパ部７３は、カード６５に接触せずにカード６５の進入を阻止することなく、カード６５はカード収容空間７５ｂの奥まで挿入される。
一方、所定サイズに達しない幅の狭いカードをカード挿入口７５ａに挿入すると、ばね部７２はカードに接触しないので、該ばね部７２は弾性変形せずにカード軌道７５ｃ上に留まり、幅方向ストッパ部７３もカード軌道７５ｃ上に留まる。このために、このようなカードをカード収容空間７５ｂの奥の方へ挿入しようとすると、幅方向ストッパ部７３はカードの先端面に接触し、それ以上のカードの進入を阻止するので、所定サイズに達しない幅の狭いカードの誤挿入を防止することができる。
なお、図１８(ａ)における符号８７は、背面部８４に固定されているコンタクトである。
【０００８】
【特許文献１】特開２００２−２１６９０５号公報
【特許文献２】特開２００４−６２５００号公報
【発明の開示】
【発明が解決しようとする課題】
【０００９】
上記特許文献１に記載されたカードコネクタ５０のカード誤挿入防止機構（図１７を参照）は、縦長向きで挿入（誤挿入）されたカード６３については、板ばね５７により下向きに押圧することでコネクタ本体５１の壁に当接させて、それ以上のカードの進入を阻止するものである。
しかしながら、カード挿入口から挿入されたカードの厚みが薄い場合は、カードの進入を阻止する部材との干渉範囲が狭くなり、またカードが斜めに挿入されたり、カードに対して外力が加えられた場合は、カードが正規の挿入平面内を移動することもあり、カードの進入を止める部材をすり抜けて、カードの誤挿入を阻止することができない場合がある。
【００１０】
また、上記特許文献２に記載されたカードコネクタのカード誤挿入防止機構（図１８を参照）は、所定サイズに達しない幅の狭いカードをカード挿入口７５ａに挿入すると、ばね部７２は弾性変形せずにカード軌道７５ｃ上に留まると共に、幅方向ストッパ部７３もカード軌道７５ｃ上に留まることにより、このような幅の狭いカードの挿入を阻止するものである。
しかしながら、この特許文献２に記載されたカードコネクタにおいても、上記特許文献１のものと同様な現象が生じて、カードの誤挿入を阻止できない場合がある。
【００１１】
そこで、本発明が解決しようとする技術課題は、上記従来技術の問題点を解決するために、カードが正規でない向き（縦長向き）に挿入（誤挿入）されたり、又は規定寸法より狭い幅のカードが挿入（誤挿入）されたりしたとき、挿入されるカードの厚さや傾き、又はカードに加えられる外力等に影響されることなく、カードコネクタ内へのカードの進入を確実に阻止することができるように、カードの誤挿入防止機構を工夫することである。
【課題を解決するための手段】
【００１２】
本発明は、カード挿入口に誤挿入（縦長向きで挿入）されたカードの進入を阻止する進入阻止手段として、ガードブレードを具備するアームを用いることにより、誤挿入されたカードの進入を確実に阻止することを基本とするものである。
【００１３】
(１) 本発明に係るカードコネクタは、カード挿入空間、及びカードのソケットと結合する端子を有するハウジングと、該ハウジングに固定されたシェル部材と、カード挿入口に誤挿入されたカードの進入を阻止するカード誤挿入防止手段を備えて成るカードコネクタを前提として、
上記カード誤挿入防止手段は、上記シェル部材に対してカードの挿入又は排出方向へ移動可能に支持され、上記カード挿入口から挿入されたカードを保持する保持手段を備えるイジェクトプレートと、
上記シェル部材とイジェクトプレートとの間に設けられ、上記カード挿入口に挿入されるカードの向きによって、該イジェクトプレートをシェル部材に対して拘束するロック手段と、
上記イジェクトプレートに設けられ、カードの厚さ方向に弾性変形可能であり、上記カード挿入口から挿入されたカードの進入を阻止するガードブレードと、該カードにより押圧される感知突起とを備えるアームとから成り、
上記カード挿入口にカードが誤挿入されたとき、上記イジェクトプレートをシェル部材に拘束してカードの進入を阻止し、カードが正規挿入されたとき、上記イジェクトプレートの拘束を解除してカードの進入を許可するものである。
【００１４】
このような構成によれば、シェル部材とイジェクトプレートとの間に設けられたロック手段は、カードが正規挿入（横長向きで挿入）されない限り、シェル部材に対するイジェクトプレートの拘束は保持されたままである。このような状態で、カードがカード挿入口に誤挿入（縦長向きで挿入）されると、イジェクトプレートに設けられたアームのガードブレードによって、カードの進入を確実に阻止することができる。
アームにガードブレードが形成されているので、挿入されるカードとアームとの干渉範囲が大きくなり、カードの厚さ寸法が薄い場合、カードが傾斜して挿入される場合、また挿入されるカードに外力が加えられるような場合であっても、カードの進入を阻止することが可能である。
【００１５】
また、カードがカード挿入口に正規挿入されると、該カードはアームの感知突起を押圧して該アームをカードの厚さ方向に弾性変形させると共に、シェル部材によるイジェクトプレートの拘束が解除されるので、該カードはイジェクトプレート上に保持されたままの状態で、さらにカードコネクタの奥へ進入することができる。これにより、正規挿入されたカードは、そのソケットをカードコネクタの端子へ確実に接続することが可能となる。
上記アームにはガードブレードが形成されているが、該アームに感知突起を形成しているため、カードが正規挿入（横長向きで挿入）されると、該感知突起を押圧することにより該アームをカードの厚さ方向に弾性変形させて、カードの移動経路から待避させることができる。
上記アームはイジェクトプレートに設けられており、イジェクトプレートと共に移動することができるので、アームにガードブレードを形成しているにも拘わらず、カードの移動経路からのアームの待避距離を小さく抑えることができる。
【００１６】
(２) 上記ロック手段は、上記シェル部材においてカードの厚さ方向に弾性変形可能に形成され、突部と係止片を備える舌状突片と、
上記イジェクトプレートに形成され、上記舌状突片の係止片に当接することにより該イジェクトプレートの移動を拘束する係合突部と、
上記イジェクトプレートに対して揺動可能で、且つ、カードの挿入方向に摺動可能に支持されており、カードの挿入方向への移動により上記舌状突片の突部に接触して、該舌状突片をカードの厚さ方向に弾性変形させる中央片を有するスイングプレートとから構成することができ、
上記カード挿入口にカードが正規挿入された場合に限り、上記スイングプレートをカードの挿入方向へ移動させて、上記イジェクトプレートの拘束を解除することができるものである。
【００１７】
このような構成によれば、上記イジェクトプレートの係合突部に対して、上記シェル部材における舌状突片の係止片を当接させるか否かによって、イジェクトプレートをシェル部材に対して拘束したり、拘束しなかったりすることができる。
カードがカード挿入口に誤挿入（縦長向きで挿入）されると、該カードは上記スイングプレートをカード挿入方向へ移動させることができないので、該スイングプレートの中央片をシェル部材における舌状突片の突部に接触させることができない。そうすると、該舌状突片を弾性変形させることができず、該舌状突片の係止片は上記イジェクトプレートの係合突部に当接した状態のままである。
このようにカードが誤挿入されると、シェル部材によるイジェクトプレートの拘束は保持された状態のままである。
【００１８】
これに対して、カードがカード挿入口に正規挿入（横長向きで挿入）されると、該カードは上記スイングプレートをカード挿入方向へ移動させて、該スイングプレートの中央片をシェル部材における舌状突片の突部に接触させることにより、該舌状突片をカードの厚さ方向に弾性変形させて、その係止片を上記イジェクトプレートの係合突部から離脱させる。
このようにカードが正規挿入されると、シェル部材によるイジェクトプレートの拘束は解除される。
【００１９】
(３) また、上記イジェクトプレートは、一対のばね片と、一対の孔と、カードの保持手段である一対のロック片とを備え、
上記スイングプレートは、上記イジェクトプレートの一対のばね片に係合する係合片と、上記イジェクトプレートの一対の孔に挿通される一対の脚部と、該一対の脚部の先端に形成され上記イジェクトプレートの一対のロック片と対峙する一対の当接片とを備えることができる。
【００２０】
この構成によれば、上記スイングプレートは、上記イジェクトプレートの一対のばね片によって、該イジェクトプレートに対して揺動可能で、且つ、カードの挿入方向に摺動可能に支持されている。
カードがカード挿入口に誤挿入（縦長向きで挿入）されると、該カードは上記スイングプレートの一対の当接片の一方のみに当接する場合と、どちらにも当接しない場合が生じる。一方の当接片に当接する場合には、該スイングプレートが揺動されて該当接片を上記イジェクトプレートの一方のロック片に接触させるため、該スイングプレートをカード挿入方向へ移動させることはない。また、どちらの当接片にも当接しない場合にも、該スイングプレートをカード挿入方向へ移動させることはない。いずれの場合でも、スイングプレートはカード挿入方向へ移動しないので、その中央片が上記シェル部材における舌状突片の突部に接触することはなく、該舌状突片を弾性変形させることがないので、該舌状突片によるイジェクトプレートの拘束を解除することはない。
【００２１】
これに対して、カードがカード挿入口に正規挿入（横長向きで挿入）されると、該カードは上記スイングプレートの一対の当接片に同時に当接して、該スイングプレートをカード挿入方向へ移動させる。これによって、該スイングプレートの中央片は、上記シェル部材における舌状突片の突部に接触することにより、該舌状突片をカードの厚さ方向に弾性変形させるので、該舌状突片の係止片とイジェクトプレートの係合突部との当接を離脱させて、該舌状突片によるイジェクトプレートの拘束を解除することができる。
【００２２】
(４) また、上記シェル部材は、上記イジェクトプレートに形成されたガイド片をカードの挿入方向に案内するガイド溝を備えることができる。
この構成によれば、シェル部材に対してイジェクトプレートをカードの挿入方向に案内するための機構を簡単に構成することが可能であり、全体を薄型で小型化することができる。
【００２３】
(５) また、上記アームはイジェクトプレートと別体に形成され、連結手段により結合されても良い。
この構成によれば、アームとイジェクトプレートとを別体に形成することができるので、それぞれの機能に合わせた厚さの金属板を使用することが可能となる。
【発明の効果】
【００２４】
本発明によれば、カードの進入を阻止するアームにガードブレードを形成しているので、該アームとの干渉範囲が小さい厚さ寸法の薄いカードが挿入されても、またカードが傾いて挿入されたりカードに外力が加えられても、アームをすり抜けて進入することがなく、誤挿入（縦長向きで挿入）されたカードの進入を確実に阻止することができる。
また、上記アームに感知突起を形成しているので、該アームにガードブレードが形成されていても、カードがカード挿入口に正規挿入（横長向きで挿入）されたとき、該アームをカードの厚さ方向に弾性変形させて、カードの移動経路から待避させることができる。
さらに、上記アームをイジェクトプレートに設けることによって、これらを一緒に移動できるようにしたので、該アームにガードブレードを形成したにも拘わらず、該アームの弾性変形量（カードの移動経路からの待避距離）を小さく抑えることができ、カードコネクタの薄型化が可能である。
【発明を実施するための最良の形態】
【００２５】
以下に、本発明の実施の形態について、図１〜図１６を参照しながら説明する。
この実施の形態の説明において、便宜上、図１の組立体斜視図や図２の分解斜視図に示された各部材における上側及び下側を「表側」及び「裏側」と呼び、手前及び奥を「前」及び「後」と呼び、また右及び左をそのまま「右」及び「左」と呼ぶこととする。
【００２６】
〔カードコネクタの概要〕
カードコネクタ１の概要について、図１〜図４を参照しながら説明する。図１はカードコネクタの表側から見た組立体の斜視図であり、図２はその分解斜視図である。また、図３はハウジングを除いたものを裏側から見た組立体の斜視図であり、図４は裏側から見た平面図とその断面図である。
このカードコネクタ１は、厚さ寸法の薄いカードと厚いカード（例えば、ＣＦＡ規格に準拠するＣＦカードタイプＩ(薄いカード)とＣＦカードタイプII(厚いカード)）の双方に対応することができるものであり、後方部にピン状の端子２８を有し基部Ｂに固定されるハウジング３と、このハウジング３に固定されたシェル部材４と、このシェル部材４に対して前後方向へ（カードの挿入排出方向へ）摺動可能なイジェクトプレート５と、このイジェクトプレート５に対して揺動と前後方向への摺動が可能なスイングプレート６と、該イジェクトプレート５に設けられたアーム１０と、カードを排出するイジェクトレバー７と、このイジェクトレバー７を操作する操作ロッド８とを備えて成るものである。
【００２７】
このカードコネクタ１において、カードが正規の横長向きでカード挿入口２へ挿入（正規挿入）されると、このカードはカードコネクタ１の後方の奥部まで進入することができ、該カードに設けられたソケットをピン状の端子２８へ結合することができる。
一方、カードが縦長向きでカード挿入口２へ挿入（誤挿入）されると、このカードがカードコネクタ１の後方の奥部まで進入しないように途中で阻止することにより、該カードによるピン状の端子２８の損傷を防止するものである。
【００２８】
〔カードコネクタの構成〕
先ず、カードコネクタ１の構成を説明するために、このカードコネクタ１を構成するハウジング３、シェル部材４、イジェクトプレート５、アーム１０、スイングプレート６、及びイジェクト機構についてそれぞれ説明し、次に、これらを組み立てたカードコネクタ全体について説明する。
【００２９】
（ハウジング３の構成）
ハウジング３の構成について、図１、図２及び図４を参照しながら説明する。
このハウジング３は、図示されているように、略「コ」の字形状であって左右両側の側面部材３１,３２と後方側の背面部材３３から構成されており、該背面部材３３には多数のピン状の端子２８が取り付けられている。上記各側面部材３１,３２の内側は、カードの横長向きの幅寸法（カードの長辺）より僅かに広い間隔を有しており、カードが横長向きで挿入（正規挿入）されたとき、該カードの前後方向の移動を案内するようにカード挿入空間を形成している。このハウジング３が基部Ｂ上に固定され、その表側にシェル部材４が固定されると、各側面部材３１,３２の間にカード挿入口２が形成されることになる。
【００３０】
（シェル部材４の構成）
次に、シェル部材４の構成について、図１〜図５、及び図７を参照しながら説明する。図５はカードコネクタの中間組立体の説明図、図７はシェル部材の平面図とその断面図である。
シェル部材４は、図示されているように、左右両側部が垂直に折り曲げられて側壁９ａ,９ｂが形成された略長方形の基板９から成り、この基板９には、左右両側付近において前縁から中程に亘って前後方向に矩形の凹部として形成された一対のガイド凹部３７,３７（イジェクトプレート５のアーム取付部３５を受容する凹部）と、この一対のガイド凹部３７,３７に沿ってその内側に形成された一対の側方ガイド溝１２ａ,１２ａ（イジェクトプレート５を案内するガイド溝）と、該基板９の左右両側付近の後縁より裏側へ起立する一対のストッパ片１１,１１と、該基板９の左右中央部の後方側に穿孔した後方ガイド溝１２ｂ（イジェクトプレート５を案内するガイド溝）と、この後方ガイド溝１２ｂの前方側であって上記一対の側方ガイド溝１２ａ,１２ａの間に形成された舌状突片１４が形成されている。そして、この舌状突片１４には、裏側へ突出する突部１３ａと係止片１３ｂが形成されており、また上記一対の側方ガイド溝１２ａ,１２ａの側縁と後方ガイド溝１２ｂの両側縁には、それぞれ凹部１２ａ’,１２ａ’,１２ｂ’,１２ｂ’が形成されている。
【００３１】
（イジェクトプレート５の構成）
次に、イジェクトプレート５の構成について、図２〜図６−２及び図８を参照しながら説明する。図６−１及び図６−２はカードコネクタの中間組立体の説明図、図８はイジェクトプレートの平面図とその断面図である。
このイジェクトプレート５は、図示されているように、略長方形状の板部材から成り、後縁の左右両側近傍から裏側へ起立する一対のロック片１９,１９と、左右方向の中央部において後縁に形成され表側への段差を有するガイド舌片２０と、同じく中央部の中程に表側への切り起こし片により形成された係合突部２２と、同じく中央部の前方側に裏側への切り起こし片により形成された一対のスイングプレートガード用突起３６,３６と、上記係合突部２２とスイングプレートガード用突起３６,３６との間において左右両側から中央部へ伸びる一対の片持ちばね片２３,２３と、左右両側における前後方向の中程に形成された矩形の一対の孔２１，２１と、前縁付近の左右両側において形成された一対のアーム取付部３５,３５と、上記片持ちばね片２３,２３とアーム取付部３５,３５との間において、表側への切り起こし片により形成された一対のガイド突片２７,２７とを備えて成るものである。
【００３２】
上記一対のロック片１９,１９は、カード３０が挿入されたときカードの保持手段となるものであり、その内側縁の間隔はカード３０の縦長向きの幅寸法（カードの短辺）より狭く設定されている。また、上記ガイド舌片２０には、上記シェル部材４の基板９の表側面に沿って移動する一対の側縁部２０ａ,２０ａと中央の突起部２０ｂが形成されており、該基板９の後方ガイド溝１２ｂにより案内される。上記一対のガイド突片２７,２７は、同じくシェル部材４の基板９の表側面に沿って移動するそれぞれの折曲げ部２７ａ,２７ａを有しており、該基板９の側方ガイド溝１２ａ,１２ａに案内される。また、上記一対のアーム取付部３５,３５は、前後側に切れ目が入れられ、その中間部分を表側へ押圧変形させて形成され、取付孔３５ａ,３５ａが開口される（図８(ｃ)を参照）。
そして、上記係合突部２２は、上記シェル部材４における舌状突片１４の係止片１３ｂに当接して、イジェクトプレート５の後方への移動が阻止される。
【００３３】
（アーム１０の構成）
次に、アーム１０の構成について、図２〜図６−２、図９−１及び図９−２を参照しながら説明する。図９−１はアームの裏側から見た平面図とその断面図であり、図９−２はアームの表側から見た平面図である。
このアーム１０は、図示されているように、「Ｊ」を逆にしたような折り曲げられた断面形状を有する一対の縦片１５,１５と（図９−１(ｂ)）、これらの裏側の後端部を一対の結合部１７,１７を介して結合する横片１６と、該縦片１５,１５の表側における中間部を結合する補強横片１８と、同じく後端部に形成された一対の連結部１５ｂ,１５ｂとから成るものである。
【００３４】
上記横片１６の後側縁には、誤挿入されたカードの進入を阻止するガードブレード１６ａが裏側へ起立するように形成されている。上記一対の縦片１５,１５の裏側における後方側の外側縁には、正規の向きで挿入されたカードにより押圧される感知突起１５ａ,１５ａがそれぞれ形成されており、この一対の感知突起１５ａ,１５ａの間隔は、カード３０が横長向きで挿入（正規挿入）されたとき、両方の感知突起１５ａ,１５ａを同時に押圧することができるように（図１３−１〜図１４(ａ)）、また、カード３０が縦長向きで挿入（誤挿入）されたとき、両方の感知突起１５ａ,１５ａを同時に押圧できないように（図１１−１〜図１２）、配置されている。また、上記一対の感知突起１５ａ,１５ａの表側の後端部に形成された一対の連結部１５ｂ,１５ｂには、弾性を付与するためのスリットと、該連結部１５ｂを上記アーム取付部３５の取付孔３５ａに差し込んで結合するための係止突起１５ｂ’が形成されている。
【００３５】
（スイングプレート６の構成）
次に、スイングプレート６の構成について、図２〜図６−２及び図１０を参照しながら説明する。図１０はスイングプレートの平面図とその断面図である。
このスイングプレート６は、図示されているように、左右両側に一対の脚部２９,２９を有する略ゲート型の板部材から成り、該左右両側の一対の脚部２９,２９の後縁を垂直に起立した当接片２４,２４と、この一対の脚部２９,２９に形成された段差部２９ａ,２９ａと、上記ゲート型の板部材における左右方向の中央部において前縁に形成された係合片２５と、同じく中央部の後縁に形成された中央片２６を備えて成るものである。
【００３６】
上記一対の脚部２９,２９の後縁に形成された各当接片２４,２４は、カード３０が横長向きで挿入（正規挿入）されたとき、該一対の当接片２４,２４に同時に当接して、上記スイングプレート６を後方（カード挿入方向）へ移動し得るように、また、カード３０が縦長向きで挿入（誤挿入）されたとき、一対の当接片２４,２４に対して同時に当接できないように形成されている。即ち、カード３０が誤挿入された場合は、一対の当接片２４,２４の一方のみに当接するか、又はどちらにも当接しないように構成されている。
そして、上記一対の脚部２９,２９は、イジェクトプレート５の一対の孔２１,２１にそれぞれ挿通され、上記係合片２５は、該イジェクトプレート５の一対の片持ちばね片２３,２３に係合されるものである。
【００３７】
（イジェクト機構）
次に、イジェクト機構の構成について、図１〜図４を参照しながら説明する。
このイジェクト機構は、図示されているように、シェル部材４の基板９上に枢支されたイジェクトレバー７と、同じくシェル部材４の側壁９ａに前後方向に摺動可能に取り付けられた操作ロッド８から成る。
上記イジェクトレバー７の右側端部には係合孔７ａが穿設され、この係合孔７ａにはイジェクトプレート５のガイド舌片２０に形成されたピン２０ｂが挿入され（図４）、その左側端部は上記操作ロッド８の端部に係合されており、該操作ロッド８を押す（後方へ操作する）ことによってイジェクトレバー７を回動して、該イジェクトプレート５を前方（カード排出方向）へ移動することができる。
【００３８】
（各部材間相互の関係について）
次に、上記ハウジング３、シェル部材４、イジェクトプレート５、アーム１０、及びスイングプレート６の相互の関係について説明する。
【００３９】
〈イジェクトプレート５とアーム１０とスイングプレート６との関係〉
先ず、イジェクトプレート５とアーム１０とスイングプレート６との関係について、図２、図３、図６−１、図６−２、及び図８〜図１０を参照しながら説明する。
上記スイングプレート６の一対の脚部２９,２９は、イジェクトプレート５の一対の孔２１,２１に対して表側から裏側へ挿通され、該一対の脚部２９,２９の各段差部２９ａ,２９ａから先は該イジェクトプレート５の裏側に突出する。また、スイングプレート６の係合片２５は、イジェクトプレート５の一対の片持ちばね片２３,２３の中央部に係合される。
このとき、上記一対の脚部２９,２９の当接片２４,２４は、イジェクトプレート５の一対のロック片１９,１９の前方に若干の間隔を空けて対峙する。また、上記係合片２５は、イジェクトプレート５の一対のスイングプレートガード用突起３６,３６の後方側に位置するので、挿入されたカードが該係合片２５に接触することはない。
【００４０】
上記アーム１０は、その一対の連結部１５ｂ,１５ｂをイジェクトプレート５における一対のアーム取付部３５,３５の各取付孔３５ａ,３５ａに差し込み、係止突起１５ｂ',１５ｂ'によって結合することにより、このイジェクトプレート５と一体化される（図６−２）。このとき、アーム１０の横片１６や感知突起１５ａはイジェクトプレート５の裏側に位置し、補強横片１８や連結部１５ｂはその表側に位置しており、上記横片１６のガードブレード１６ａは、前後方向においてイジェクトプレート５のロック片１９と略同じ位置にある。
【００４１】
この実施の形態においては、イジェクトプレート５とアーム１０をそれぞれ別体に作製して、その後、これらを結合して一体化しているが、必ずしも別体のものを結合して作製する必要はなく、アーム１０を一体のものとして備えるアーム付きイジェクトプレートを作製することも可能である。このように、アームとイジェクトプレートを一体に作製する場合には、イジェクトプレート５とアーム１０とを結合するための構成は不要となる。
この実施の形態のように、イジェクトプレート５とアーム１０を別体に作製する場合は、これらの機能を果たすのに最適な厚さの金属板を使用することができる。例えば、アーム１０を形成する金属板をイジェクトプレート５のものより薄くすることにより、アーム１０には適度な弾力性を、イジェクトプレート５には必要な剛性を与えることができる。
【００４２】
このようにイジェクトプレート５に対して、スイングプレート６とアーム１０を組み込んだ「イジェクトプレート組立体Ｉ」（図６−１、図６−２）において、スイングプレート６の一対の当接片２４,２４に対して同時に後方への力が加わると、上記一対の片持ちばね片２３,２３が撓み、該スイングプレート６はイジェクトプレート５に対して後方（カード挿入方向）へ平行移動する（図１６を参照）。一方、上記一対の当接片２４,２４の片方のみに対して後方への力が加わると、該スイングプレート６はイジェクトプレート５に対して揺動して、該片方の当接片２４は上記イジェクトプレート５のロック片１９の一方に当接することになる（図１５(ａ)を参照）。
【００４３】
〈イジェクトプレート組立体Ｉとシェル部材４との関係〉
次に、イジェクトプレート５に対してスイングプレート６とアーム１０を組み込んだ「イジェクトプレート組立体Ｉ」と、シェル部材４との関係について、図２、図３、図５〜図１０を参照しながら説明する。
上記イジェクトプレート組立体Ｉにおけるイジェクトプレート５の一対のガイド突片２７,２７とガイド舌片２０は、シェル部材４の一対の側方ガイド溝１２ａ,１２ａと後方ガイド溝１２ｂに嵌め込まれて、該イジェクトプレート組立体Ｉがシェル部材４の裏側面を前後方向に平行移動するように組み立てられる。
このように上記シェル部材４に対してイジェクトプレート組立体Ｉを組み込む場合、イジェクトプレート５の一対のガイド突片２７,２７の各折曲げ部２７ａ,２７ａと、該ガイド舌片２０の各側縁部２０ａ,２０ａは、該シェル部材４の一対の側方ガイド溝１２ａと後方ガイド溝１２ｂの各々の凹部１２ａ’,１２ａ’,１２ｂ’,１２ｂ’を通り抜けて、シェル部材４の基板９の表側の表面上に位置される（図１及び図５を参照）。
【００４４】
このようにして、上記シェル部材４にイジェクトプレート組立体Ｉを組み込んだ「シェル部材組立体II」（図５）において、該イジェクトプレート組立体Ｉのスイングプレート６の本体部分（一対の脚部２９,２９を除く部分）は、イジェクトプレート５とシェル部材４に挟持された状態になるが、このスイングプレート６は、イジェクトプレート５とシェル部材４との間において、所定の範囲で前後方向への移動や揺動ができるようになっている。そして、該スイングプレート６の中央片２６は、該イジェクトプレート５とシェル部材４の舌状突片１４との間に挟持されている。
また、イジェクトプレート組立体Ｉにおけるイジェクトプレート５の一対のアーム取付部３５,３５は、シェル部材４の一対のガイド凹部３７,３７に受容されて前後方向に案内される。
【００４５】
〈シェル部材組立体IIとハウジング３との関係〉
次に、上記シェル部材４にイジェクトプレート組立体Ｉを組み込んだ「シェル部材組立体II」と、ハウジング３との関係について、図１〜図５を参照しながら説明する。
上記ハウジング３の表側に対して、上記シェル部材組立体IIを取り付けることによって最終組立体としてのカードコネクタが構成される。このシェル部材組立体IIのハウジング３への取付は、例えば、ハウジング３の左右一対の側面部材３１,３２に対して、シェル部材組立体IIにおけるシェル部材４の左右両側の側壁９ａ,９ｂを固定することにより行うことができる。
【００４６】
〔コードコネクタの動作〕
以下、上記のように構成されたコードコネクタ１に関する動作について、図１〜図１６を参照しながら説明する。
（カードが挿入される前の状態）
コードコネクタ１にカード３０が挿入される前の初期状態では、コードコネクタ１を構成するシェル部材４、イジェクトプレート５、アーム１０、スイングプレート６、イジェクトレバー７、及び操作ロッド８は、図１、図３及び図４に示すような位置関係にある。
即ち、イジェクトプレート５に対するスイングプレート６の位置は、該イジェクトプレート５の一対の片持ちばね片２３,２３が開放された状態によって定まる位置となる。このとき、スイングプレート６の一対の当接片２４,２４は、イジェクトプレート５の一対のロック片１９,１９の前方において、該ロック片１９,１９に対して所定の間隔を空けて対峙している。
【００４７】
また、アーム１０が結合されたイジェクトプレート５とスイングプレート６（イジェクトプレート組立体Ｉ）のシェル部材４に対する位置は、該イジェクトプレート５の係合突部２２が、シェル部材４における舌状突片１４上の係止片１３ｂの前方側にあり、該スイングプレート６の中央片２６が、該舌状突片１４上の突部１３ａと干渉しない前方側にある位置関係であるので、該イジェクトプレート５（イジェクトプレート組立体Ｉ）は、舌状突片１４上の係止片１３ｂによってシェル部材４に対して拘束された状態（後方へ移動できない状態）にある。（図１、図３及び図４を参照）
このとき、イジェクトプレート５に結合されたアーム１０の拘束されてない側（イジェクトプレート５の裏側に位置する部分）は開放された状態であり、その横片１６の後縁に形成されたガードブレード１６ａは、イジェクトプレート５の一対のロック片１９,１９の間に位置すると共に、薄いカードが縦長向きで挿入（誤挿入）された場合でも、その進入を確実に阻止することができるように、該イジェクトプレート５の裏側面から所定の距離だけ離れたところに位置する。そして、該イジェクトプレート５の一対のロック片１９,１９と、アーム１０のガードブレード１６ａは、ハウジング３に設けられたピン状の端子２８の先端より前方側に位置されている。（図４を参照）
【００４８】
（カードが縦長向きで挿入される場合）
次に、コードコネクタ１のカード挿入口２にカード３０が縦長向きで挿入（誤挿入）される場合の動作について、図１１−１〜図１２、図１４(ｂ)、及び図１５を参照しながら説明する。
このようにカード３０が縦長向きで挿入される場合でも、該カード３０がカード挿入口２の間口の中心部に挿入される場合（図１１−１及び図１１−２）と、間口の中心部からどちらかに片寄って挿入される場合（図１２及び図１４(ｂ)）があるので、これらを場合分けして説明する。
【００４９】
〈カード挿入口の中心部に挿入される場合〉
先ず、カード３０が縦長向きでカード挿入口２の間口の中心部に挿入される場合（誤挿入の一例）について、図１１−１及び図１１−２を参照しながら説明する。
この場合のカード３０の幅寸法（カードの短辺）は、アーム１０の一対の縦片１５,１５の内側縁の間隔より狭いため、カード３０がカード挿入口２の中心部に挿入されると、該一対の縦片１５,１５には接触せずこれを変形することはなく挿入されるが、カード３０が途中まで挿入されたところで、その先端角部がアーム１０の一対の結合部１７,１７に当接して、それ以上のカードの進入が阻止される（図１１−１）。これにより、カード３０の先端とハウジング３の背面部材３３に設けられたピン状の端子２８との衝突が回避される。
【００５０】
上記アーム１０の一対の結合部１７,１７は厚さ寸法が薄く、カード３０との干渉範囲が小さいので、カード３０の先端角部が該結合部１７,１７をすり抜けてカード３０がさらに進入する場合も発生するが、このような場合でもカード３０の先端部がアーム１０のガードブレード１６ａやイジェクトプレート５のロック片１９に衝突することにより、それ以上のカードの進入が阻止される（図１１−２）。このガードブレード１６ａは、アーム１０の横片１６の表面から起立しており、厚さ寸法の薄いカードに対しても干渉範囲が充分に大きいので、誤挿入されたカードの進入を確実に阻止することができる。これによって、カード３０の先端とハウジング３の背面部材３３に設けられたピン状の端子２８との衝突が確実に回避される。
なお、カード挿入口２に挿入されたカード３０は、上記イジェクトプレート５の一対のスイングプレートガード用突起３６,３６の働きにより、スイングプレート６の係合片２５に接触することはない。また、カード挿入口２の間口の中心部に挿入された場合は、該スイングプレート６の一対の当接片２４,２４に接触することもない。
かくして、使用者はカード３０の誤挿入に気付き、正規の横長向きにしてカード３０の再挿入をすることになる。
【００５１】
〈カード挿入口の中心部から片寄って挿入される場合〉
次に、カード３０が縦長向きでカード挿入口２の間口の中心部からどちらかに片寄って挿入される場合（誤挿入の別の例）について、図１２及び図１４(ｂ)を参照しながら説明する。
上述したように、カード３０の幅寸法（カードの短辺）は、アーム１０の一対の縦片１５,１５の内側縁の間隔より狭いため、カード３０がカード挿入口２の中心部から一方側に片寄って挿入されると、該一対の縦片１５,１５のうち一方側の縦片１５のみを押圧することになる。この場合は、一方側の縦片１５がカードの厚み方向（表側方向）に少し弾性変形するのに対して、他方側の縦片１５は殆ど変形しないので、アーム１０は捩れた形状になり、ガードブレード１６ａの一方側の位置はカードの厚み方向（表側方向）に多少変位するが、ガードブレード１６ａの殆どの部分は余り変位することはない。
そこで、カード挿入口２の間口の一方に片寄って挿入されたカードは、アーム１０の他方側の結合部１７に衝突することにより、その進入が阻止される。これにより、カード３０の先端とハウジング３の背面部材３３に設けられたピン状の端子２８との衝突が回避される。
【００５２】
この場合にも上述したように、アーム１０の結合部１７とカード３０との干渉範囲が小さいので、カード３０の先端角部が該結合部１７をすり抜けてカード３０がさらに進入することがある。このような場合には、さらに少し奥に進入したカード３０は、スイングプレート６の一対の当接片２４,２４うち、片寄った一方側の当接片２４に衝突して、該スイングプレート６を係合片２５の辺りを中心として揺動させる。このようにスイングプレート６が揺動すると、上記一方側の当接片２４がイジェクトプレート５のロック片１９に当接するが（図１５(ａ)）、該スイングプレート６全体が後方（カード挿入方向）へ移動することは無い。このため、該スイングプレート６の中央片２６によって、シェル部材４の舌状突片１４が弾性変形されることはないので、イジェクトプレート５の係合突部２２を係止している該舌状突片１４の係止片１３ｂが外されることはない。（図１５(ｂ),(ｃ)を参照）
したがって、カード３０は、シェル部材４により拘束されているイジェクトプレート５のロック片１９によって進入が阻止されると共に、アーム１０のガードブレード１６ａによっても進入が阻止される。
【００５３】
このようにして、カード３０がカード挿入口２の間口のどちらか一方に片寄って挿入された場合にも、スイングプレート６の当接片２４、イジェクトプレート５のロック片１９、及びアーム１０のガードブレード１６ａによって、カード３０の進入が阻止されて、その先端とハウジング３の背面部材３３に設けられたピン状の端子２８との衝突が回避される。
かくして、使用者はカード３０の誤挿入に気付き、正規の横長向きにしてカードの再挿入をすることになる。
【００５４】
（カードが横長向きで挿入される場合）
次に、コードコネクタ１のカード挿入口２にカード３０が横長向きで挿入（正規挿入）される場合の動作について、図１３−１、図１３−２、図１４(ａ)及び図１６を参照しながら説明する。
この場合のカード３０の幅寸法（カードの長辺）は、イジェクトプレート５に結合したアーム１０の一対の感知突起１５ａ,１５ａの間隔と略同等であるため、カード３０がカード挿入口２から挿入されると、該カード３０は該一対の感知突起１５ａ,１５ａを押圧することにより、縦片１５,１５をシェル部材４側（表側）へ撓ませて、該アーム１０の横片１６や一対の結合部１７,１７をカード移動経路から待避させる。これにより、挿入されたカード３０は該アーム１０の横片１６や結合部１７,１７に衝突すること無く、さらに後方（カード挿入方向）へ進入することができる。（図１３−１及び図１６(ａ)を参照）
そうすると、カード３０の先端部はスイングプレート６の一対の当接片２４,２４に同時に当接してこれを後方へ押すので、該スイングプレート６全体が後方に移動されて、該一対の当接片２４,２４はイジェクトプレート５の一対のロック片１９,１９に当接する。（図１６(ｂ)(ｃ)を参照）
【００５５】
このとき、スイングプレート６の中央片２６は、シェル部材４の舌状突片１４とイジェクトプレート５に挟持された状態で後方（カード挿入方向）へ移動するため、該舌状突片１４の突部１３ａとイジェクトプレート５の間にくさび状に入り込み、該舌状突片１４を押し上げる（表側方向へ撓ませる）ことになる。これによって、該舌状突片１４によるイジェクトプレート５の拘束が解除される。（図１６(ｂ)〜(ｄ)を参照）
このような動作により、イジェクトプレート５は後方へ移動することが可能となり、正規に挿入されたカード３０は該イジェクトプレート５（イジェクトプレート組立体Ｉ）と共に後方へ移動されて、カード３０のソケットがハウジング３の背面部材３３に設けられたピン状の端子２８に正確に結合される。（図１３−２を参照）
【００５６】
（カードを排出する場合）
次に、カード３０をカードコネクタ１から取り出す場合（イジェクト操作）について、図３及び図４を参照しながら説明する。
カード３０を取り出す場合には、ロッド８を操作してイジェクトレバー７を反時計方向に回動させて、該イジェクトレバー７の右端部の開口７ａによって、イジェクトプレート５のガイド舌片２０上のピン２０ｂを前方へ押すことによりイジェクト操作が行われる。このピン２０ｂを前方へ押せば、イジェクトプレート５（イジェクトプレート組立体Ｉ）はシェル部材４の側方ガイド溝１２ａ及び後方ガイド溝１２ｂに沿って前方へ移動する。これにより、イジェクトプレート５の係合突部２２も前方へ移動されるが、このとき、スイングプレート６はイジェクトプレート５に対して後方側に変位された状態にある（図１６(ｂ)〜(ｄ)）。即ち、該スイングプレート６の中央片２６は、舌状突片１４の突部１３ａを押し上げて係止片１３ｂを係合突部２２の移動経路から待避させた状態にある。このため、イジェクトプレート５が前方（カード排出方向）へ移動されるとき、舌状突片１４の係止片１３ｂがイジェクトプレート５の係合突部２２の移動を妨げることはない。
このようにして、ロッド８を操作することにより、カード３０を円滑に取り出すことが可能であり、イジェクトプレート５とアーム１０とスイングプレート６（イジェクトプレート組立体Ｉ）は、シェル部材４に対してカードを挿入する前の初期状態（図４に示された状態）に戻ることができる。
【図面の簡単な説明】
【００５７】
【図１】本発明の実施の形態によるカードコネクタの組立体の斜視図である。
【図２】同じくカードコネクタの分解斜視図である。
【図３】同じくカードコネクタ（ハウジングを除く）を裏側から見た組立体の斜視図である。
【図４】同じくカードコネクタの組立体の説明図であり、(ａ)は裏側から見た平面図、(ｂ)は(ａ)のＡ−Ａ断面図である。
【図５】同じくカードコネクタの中間組立体（ハウジングを除く）の説明図であり、(ａ)は裏側から見た平面図、(ｂ)は(ａ)のＢ−Ｂ断面図である。
【図６−１】同じくカードコネクタの中間組立体（ハウジングとシェル部材を除く）の説明図であり、(ａ)は裏側から見た平面図、(ｂ)は(ａ)のＣ−Ｃ断面図である。
【図６−２】同じくカードコネクタの中間組立体（ハウジングとシェル部材を除く）を表側から見た平面図である。
【図７】同じくカードコネクタのシェル部材の説明図であり、(ａ)は裏側から見た平面図、(ｂ)は(ａ)のＤ−Ｄ断面図である。
【図８】同じくカードコネクタのイジェクトプレートの説明図であり、(ａ)は裏側から見た平面図、(ｂ)は(ａ)のＥ−Ｅ断面図、(ｃ)は前側から見た平面図である。
【図９−１】同じくカードコネクタのアームの説明図であり、(ａ)は裏側から見た平面図、(ｂ)は(ａ)のＦ−Ｆ断面図である。
【図９−２】同じくカードコネクタのアームを表側から見た平面図である。
【図１０】同じくカードコネクタのスイングプレートの説明図であり、(ａ)は裏側から見た平面図、(ｂ)は(ａ)のＧ−Ｇ断面図である。
【図１１−１】同じくカードコネクタにおいて、カード挿入口間口の真中位置でのカード誤挿入の場合を説明する平面図である。
【図１１−２】同じくカードコネクタにおいて、カード挿入口間口の真中位置でのカード誤挿入の場合を説明する図であり、(ａ)は平面図、(ｂ)は(ａ)のＨ−Ｈ断面図である。
【図１２】同じくカードコネクタにおいて、カード挿入口間口の一方に片寄った位置でのカード誤挿入の場合を説明する平面図である。
【図１３−１】同じくカードコネクタにおいて、カードの正規挿入の場合の説明図であり、(ａ)はカードを挿入する途中の平面図、(ｂ)は(ａ)のＪ−Ｊ断面図である。
【図１３−２】同じくカードコネクタにおいて、カードの正規挿入の場合の説明図であり、(ａ)はカードの挿入が完了した時の平面図、(ｂ)は(ａ)のＫ−Ｋ断面図である。
【図１４】同じくカードコネクタにおいて、カード挿入口側から見たカードの挿入位置についての説明図であり、(ａ)は正規挿入の場合、(ｂ)は誤挿入（一方に片寄った位置に挿入）の場合である。
【図１５】同じくカードコネクタに対して、カードが誤挿入（一方に片寄った位置に挿入）された場合の動作説明図であり、(ａ)はイジェクトプレートに対するスイングプレートの状態を示す平面図、(ｂ)はカードコネクタの断面図、(ｃ)は(ｂ)の要部拡大図である。
【図１６】同じくカードコネクタに対して、カードが正規挿入された場合の動作説明図であり、(ａ)はイジェクトプレートに対するスイングプレートの状態を示す平面図、(ｂ)は薄いカードが挿入される場合のカードコネクタの断面図、(ｃ)は厚いカードが挿入される場合のカードコネクタの断面図、(ｄ)は(ｃ)の要部拡大図である。
【図１７】従来のカードコネクタの説明図であり、(ａ)は平面図、(ｂ)は(ａ)のＭ−Ｍ断面図である。
【図１８】別の従来のカードコネクタの説明図であり、(ａ)はカバーを外した状態の斜視図、(ｂ)は(ａ)のＮ−Ｎ断面図である。
【符号の説明】
【００５８】
１…カードコネクタ                      ２…カード挿入口
３…ハウジング                          ４…シェル部材
５…イジェクトプレート                  ６…スイングプレート
７…イジェクトレバー                    ８…操作レバー
９…基板                              １０…アーム
１１…ストッパ片                        １２ａ…側方ガイド溝
１２ｂ…後方ガイド溝                    １３ａ…突部
１３ｂ…係止片                          １４…舌状突片
１５…縦片                              １５ａ…感知突起
１５ｂ…連結部                          １６…横片
１６ａ…ガードブレード                  １７…結合部
１８…補強横片                          １９…ロック片
２０…ガイド舌片                        ２１…孔
２２…係合突部                          ２３…片持ちばね片
２４…当接片                            ２５…係合片
２６…中央片                            ２７…ガイド突片
２８…端子（コンタクト群）              ２９…脚部
３０…カード                            ３１、３２…側面部材
３３…背面部材                          ３５…アーム取付部
３５ａ…取付孔                          ３６…スイングプレートガード用突起
３７…ガイド凹部
【図１】
2007173000.tif 000003
【図２】
2007173000.tif 000004
【図３】
2007173000.tif 000005
【図４】
2007173000.tif 000006
【図５】
2007173000.tif 000007
【図６−１】
2007173000.tif 000008
【図６−２】
2007173000.tif 000009
【図７】
2007173000.tif 000010
【図８】
2007173000.tif 000011
【図９−１】
2007173000.tif 000012
【図９−２】
2007173000.tif 000013
【図１０】
2007173000.tif 000014
【図１１−１】
2007173000.tif 000015
【図１１−２】
2007173000.tif 000016
【図１２】
2007173000.tif 000017
【図１３−１】
2007173000.tif 000018
【図１３−２】
2007173000.tif 000019
【図１４】
2007173000.tif 000020
【図１５】
2007173000.tif 000021
【図１６】
2007173000.tif 000022
【図１７】
2007173000.tif 000023
【図１８】
2007173000.tif 000024